(57)【要約】【課題】把手片が強度に優れ、倒れずに自立する把手付箱を提供する。【解決手段】重なり合う内蓋板６を基端側から、外蓋板７を先端側からそれぞれ切り込んで、天面中央部を基端とする二枚の把手片９，１０を形成し、外蓋板７に把手片１０の基部内側から突出するロック片１１を設け、これらの把手片９，１０を重なり合った状態で起立させると、ロック片１１が内蓋板６の把手片９の内側に差し込まれ、ロック片１１の両側部がその把手片９の基部に係合して、把手片９，１０が起立状態に保持されるようにする。【選択図】  図４
2004315072.tif 000002
【特許請求の範囲】
【請求項１】
各一対の側板１及び端板２から周壁をなし、対向する一方の側板１の上縁から内蓋板６を、他方の側板１の上縁から外蓋板７をそれぞれ延出し、内蓋板６を基端側から、外蓋板７を先端側からそれぞれ切り込んで、天面中央部を基端とする二枚の把手片９，１０を形成し、外蓋板７に把手片１０の基部内側から突出するロック片１１を設け、内蓋板６に外蓋板７を重ねて封緘し、これらの把手片９，１０を重なり合った状態で起立させると、ロック片１１が内蓋板６の把手片９の内側に差し込まれ、ロック片１１の両側部がその把手片９の基部に係合するようにした把手付箱。
【請求項２】
前記内蓋板６の把手片９を外蓋板７の把手片１０よりも小さくして、内蓋板６の把手片９の外側縁が外蓋板７の把手片１０の外側縁よりも内側に位置するようにしたことを特徴とする請求項１に記載の把手付箱。
【発明の詳細な説明】
【０００１】
【発明の属する技術分野】
この発明は、物品の運搬に使用する厚紙製の把手付箱に関するものである。
【０００２】
【従来の技術】
従来、図５に示すように、各一対の側板５１及び端板５２から周壁をなし、一方の側板５１の上縁から内蓋板５３を、他方の側板５１の上縁から外蓋板５４をそれぞれ延出し、内蓋板５３に外蓋板５４を重ねて封緘すると共に、外蓋板５４を先端側から切り込んで、天面中央部を基端とする把手片５５を形成し、この把手片５５を起立させ、手で提げて持ち運べるようにした把手付箱が使用されている。この形態のものは、下記特許文献１に記載されている。
【０００３】
【特許文献１】
特開２００２−８００３１号公報（請求項１、図４）
【０００４】
【発明が解決しようとする課題】
しかしながら、上記のような把手付箱では、把手片が一枚であるため、強度的に不安があり、また、把手片が基端折目の反発で倒れてしまい、把持しにくいという問題がある。
【０００５】
そこで、この発明は、把手片が強度に優れ、倒れずに自立する把手付箱を提供しようとするものである。
【０００６】
【課題を解決するための手段】
上記のような課題を解決するため、この発明に係る把手付箱では、重なり合う内蓋板を基端側から、外蓋板を先端側からそれぞれ切り込んで、天面中央部を基端とする二枚の把手片を形成し、外蓋板に把手片の基部内側から突出するロック片を設け、これらの把手片を重なり合った状態で起立させると、ロック片が内蓋板の把手片の内側に差し込まれ、ロック片の両側部がその把手片の基部に係合して、把手片が起立状態に保持されるようにしたのである。
【０００７】
なお、この把手付箱において、内蓋板の把手片を外蓋板の把手片よりも小さくして、内蓋板の把手片の外側縁を、外蓋板の把手片の外側縁よりも内側に位置させると、これらの把手片を起立させる際、内蓋板の把手片が外蓋板に引っ掛かることがない。
【０００８】
【発明の実施の形態】
以下、この発明の実施形態を添付図面に基づいて説明する。
【０００９】
この把手付箱は、段ボールを材料とし、図１に示すようなブランクから形成される。このブランクでは、各一対の側板１及び端板２が交互に連設され、ブランクの一側縁には側板１から継代３が延出されている。各端板２及び側板１の下縁には、底板４，５がそれぞれ連設されている。
【００１０】
上記一対の側板１のうち、一方の側板１の上縁には内蓋板６が、他方の側板１の上縁には外蓋板７がそれぞれ連設され、各端板２の上縁には蓋受板８が連設されている。内蓋板６は基端側から、外蓋板７は先端側からそれぞれ中央部まで切り込まれ、コ字状の把手片９，１０が形成されている。
【００１１】
把手片１０の基部内側にはロック片１１が突設され、その両側縁は先端側から基端側へ徐々に張り出して基部でくびれ、ロック片１１の最大幅は把手片９の内側縁間の幅よりも広く設定されている。把手片９の内縁横辺には握り片１２が連設され、把手片９に臨む側板１の上縁中央部には指入穴１３が設けられている。
【００１２】
また、把手片９は把手片１０よりも外側縁間の幅が小さくなっており、組み立てた状態において、把手片９の外側縁は、把手片１０の外側縁よりも内側に位置するようになっている。
【００１３】
上記ブランクを組み立てて物品を包装するには、図２に示すように、各一対の側板１及び端板２を角筒状に折り曲げ、継代３を反対側の端板２に貼り付けて周壁を形成し、底板４，５を貼り合わせて底面を閉止する。
【００１４】
次いで、箱内に物品を収納し、蓋受板８を閉じ、図３に示すように、内蓋板６に外蓋板７を重ねて封緘する。このとき、内蓋板６と外蓋板７とは、把手片９，１０の外側でホットメルト接着剤等により貼り合わせる。
【００１５】
いま、この把手付箱を持ち運ぶ際には、指入穴１３に指を入れ、図４に示すように、把手片９，１０を重なり合った状態で起立させ、握り片１２を把手片１０の内側の開口部に押し込む。
【００１６】
ここで、把手片９，１０を起立させる際、把手片９の外側縁が把手片１０の外側縁よりも内側に位置しているので、ブランクの接合時に把手片９，１０の位置関係が多少ずれても、把手片９を、外蓋板７に引っ掛かることなく、スムーズに起立させることができる。
【００１７】
そして、このように把手片９，１０を起立させると、ロック片１１が内蓋板６の把手片９の内側に差し込まれ、ロック片１１の基端両側のくびれた部分が把手片９の基部に係合し、把手片９，１０が起立状態に保持される。
【００１８】
これにより、把手片９，１０を容易に把持することができ、把手片９，１０が重なり合って強度に優れたものとなり、把手付箱を安定して持ち運ぶことができる。また、握り片１２により把手片９，１０の一体性が保持されると共に、把手片９，１０の内縁に手が直接触れず、握りやすくなる。
【００１９】
なお、この把手付箱を開封する際には、把手片９，１０を倒し、ロック片１１を引き上げるだけで、ロック片１１と把手片９の係合が解除されるので、開封性が損なわれることもない。
【００２０】
そのほか、この把手付箱は、従来のものと比較して、製造に要する材料の面積が増加することもなく、製函時の機械適性が低下することもないので、コストアップを伴うことなく製造でき、包装作業の効率も確保される。
【００２１】
【発明の効果】
以上のように、この発明に係る把手付箱では、把手片を内蓋板と外蓋板から切り起こして二枚重ねとし、外蓋板に設けたロック片を内蓋板の把手片の内側に差し込んで、その基部に係合させたので、把手片の強度が向上し、把手片が起立状態に保持されて、把手片を容易に把持することができる。
【００２２】
また、内蓋板の把手片を外蓋板の把手片よりも小さくして、内蓋板の把手片の外側縁を、外蓋板の把手片の外側縁よりも内側に位置させたので、内蓋板の把手片を、外蓋板に引っ掛かることなく、スムーズに起立させることができる。
【図面の簡単な説明】
【図１】この発明の実施形態に係る把手付箱のブランクを示す図
【図２】同上の組立過程を示す斜視図
【図３】同上の組立状態を示す斜視図
【図４】同上の把手の起立状態を示す斜視図
【図５】従来の把手付箱を示す斜視図
【符号の説明】
１  側板
２  端板
６  内蓋板
７  外蓋板
９，１０  把手片
１１  ロック片
【図１】
2004315072.tif 000003
【図２】
2004315072.tif 000004
【図３】
2004315072.tif 000005
【図４】
2004315072.tif 000006
【図５】
2004315072.tif 000007